(57)【要約】【課題】バリア性を有する遮断筒を、基材樹脂との剥離を引き起こすことなく当該基材樹脂内に正確に位置決めして配置できるようにして、製造の容易化と品質向上を図ることのできる袋体用注出具、注出具付袋体、袋体用注出具の成形金型、及び、袋体用注出具の製造方法を提供する。【解決手段】注出口５を取り囲む周壁１０を、バリア性を有する遮断筒１１と、遮断筒１１を埋設する基材樹脂から成る周壁本体部１０ａと、を備えた構成とする。周壁本体部１０ａの軸方向の一端面に、周壁本体部１０ａに埋設された遮断筒１１の軸方向の一端面に向かって窪む複数の窪み部１３を周方向に沿って間欠的に設ける。製造時には、窪み部１３に対応する部分で成形金型の一部を遮断筒１１の軸方向の一端面に当接させる。【選択図】図２
2014231376.tif 000002
【特許請求の範囲】
【請求項１】
袋体の内部と外部とを導通させる注出孔を有し、当該注出孔を取り囲む周壁の基材樹脂内に、バリア性を有する遮断筒が埋設された袋体用注出具において、
前記周壁が、前記遮断筒と、該遮断筒を埋設する前記基材樹脂から成る周壁本体部と、を有し、
前記周壁本体部の軸方向の一端面には、当該周壁本体部に埋設された前記遮断筒の軸方向の一端面に向かって窪む複数の窪み部が周方向に沿って間欠的に設けられていることを特徴とする袋体用注出具。
【請求項２】
前記窪み部は、前記周壁本体部の軸方向の一端面と、その一端面に隣接する内周縁部に跨って段差状に形成され、前記窪み部の前記周壁本体部の内周縁部に位置される領域が、前記周壁本体部の内周面から前記遮断筒の内周面に向かって窪んでいることを特徴とする請求項１に記載の袋体用注出具。
【請求項３】
前記周壁本体部の軸方向の他端側の外周面には、当該周壁本体部に埋設された前記遮断筒の軸方向の他端面が臨む第１の凹部が設けられていることを特徴とする請求項１または２に記載の袋体用注出具。
【請求項４】
前記周壁本体部の軸方向の他端側の外周面には、当該周壁本体部に埋設された前記遮断筒の軸方向の他端側の外周面が臨む第２の凹部が設けられていることを特徴とする請求項１〜３のいずれか１項に記載の袋体用注出具。
【請求項５】
請求項１〜４のいずれか１項に記載の袋体用注出具が袋体に取り付けられていることを特徴とする注出具付袋体。
【請求項６】
袋体の内部と外部とを導通させる注出孔を有し、当該注出孔を取り囲む周壁の基材樹脂内に、バリア性を有する遮断筒が埋設された袋体用注出具の成形金型において、
前記周壁の少なくとも内周面の一部と軸方向の一端を造形する第１の成形型と、
前記周壁の少なくとも外周面の一部と軸方向の他端を造形する第２の成形型と、を備え、
前記第１の成形型には、前記遮断筒を保持する筒保持部が設けられ、
前記筒保持部には、前記遮断筒の軸方向の一端面方向に向かって突出し、前記遮断筒の軸方向の一端面に円周方向で離間した複数ヶ所で当接する複数の位置決め台が設けられていることを特徴とする袋体用注出具の成形金型。
【請求項７】
前記位置決め台に、前記遮断筒の軸方向の一端側の内周面に当接する嵌合爪が設けられ、
前記複数の位置決め台の嵌合爪に跨って前記遮断筒の内周面が嵌合されることを特徴とする請求項６に記載の袋体用注出具の成形金型。
【請求項８】
前記第２の成形型に、前記遮断筒の軸方向の他端面に当接する第１の規制突起が設けられていることを特徴とする請求項６または７に記載の袋体用注出具の成形金型。
【請求項９】
前記第２の成形型に、前記遮断筒の軸方向の他端側の外周面に当接する第２の規制突起が設けられていることを特徴とする請求項６〜８のいずれか１項に記載の袋体用注出具の成形金型。
【請求項１０】
請求項６〜９のいずれか１項に記載の袋体用注出具の成形金型を用い、前記成形金型内に基材樹脂を射出充填することを特徴とする袋体用注出具の製造方法。
【発明の詳細な説明】
【技術分野】
【０００１】
この発明は、袋体に取り付けられて袋体内の内容物を注出する袋体用注出具、注出具付袋体、袋体用注出具の成形金型、及び、袋体用注出具の製造方法に関するものである。
【背景技術】
【０００２】
近年、スパウトパウチと呼称される注出具付袋体が普及している。この注出具付袋体は、軟包装と呼ばれる樹脂フィルムとアルミ等のバリア材からなる袋体（パウチ）の上部に、樹脂製の注出具（スパウト）が一体に取り付けられ、袋体に内容物を充填した後に注出具の端部に封止用の樹脂製キャップが取り付けられたものである。
【０００３】
この注出具付袋体の特徴は、軽量であることや、使用前使用後の状態において扁平状にでき、スペースを取ることもないので、運搬費用の削減或いは廃棄物としての減容化が可能ということである。また、この注出具付袋体は、袋体自体が柔軟なため内容物の押し出し性（スクイズ性）に優れ、例えば、マヨネーズやケチャップのような商品ではガラス瓶や硬質容器と比較して容器内部の空気を最小限に留めることが可能となる。したがって、この注出具付袋体は、酸化し易い内容物である前述のマヨネーズやケチャップ、食用油、酒類、調味料、コンデンスミルク等の乳製品用の容器として適したものであるといえる。
【０００４】
しかしながら、この注出具付袋体は、袋体部分ではガスバリア性を有するフィルムを選択し、積層することで充分なガスバリア性を付与することができるが、その一方で注出具部分は、ポリエチレンやポリプロピレン等の単体樹脂で構成すると、ガスバリア性の点では充分とは言い難い。
【０００５】
また、粘度の低い果汁等が内容物である場合は、流通中の振動や在庫時の温度変化等によって注出具付袋体内の内容物が対流するため、酸化による内容物の劣化は顕在化しづらいが、前述のマヨネーズやケチャップ等が内容物である場合は、それ自体の粘度が高いため、注出具付近に内容物が長時間滞留しやすく、酸化によって内容物が劣化してしまう可能性がある。
【０００６】
この問題に対処する注出具として、注出具の注出孔を取り囲む周壁の内部に、ガスバリア性に優れた素材でできた遮断筒を配置するようにしたものが案出されている（例えば、特許文献１，２参照。）。
【０００７】
特許文献１に記載の注出具は、ガスバリア性に優れた素材で遮断筒の骨格部を造形し、その骨格部の表面に、射出成形時に成形型内に充填される基材樹脂と溶着し易い樹脂を接合して遮断筒を形成し、その遮断筒を成形型内に入れて射出成形するようにしたものである。
【０００８】
特許文献２に記載の注出具は、ガスバリア性に優れた素材からなる遮断筒を成形金型内に配置し、その遮断筒の軸方向の一方の端面が製品外部に露出するように射出成形するようにしたものである。この注出具は、射出成形の後に、遮断筒が外部に露出する部分に別体のリング状の保護層が接着固定されている。
【先行技術文献】
【特許文献】
【０００９】
【特許文献１】特開２００１−２１３４５５号公報
【特許文献２】特開２００７−２６１６３０号公報
【発明の概要】
【発明が解決しようとする課題】
【００１０】
しかし、特許文献１に記載の注出具は、ガスバリア性に優れた骨格部の表面を溶着性に優れた素材で覆った構造の遮断筒を用意しなければならないため、射出成形を行うまでの準備に複雑な多くの工程を要し、製造コストが高騰することが懸念される。
【００１１】
また、特許文献２に記載の注出具は、遮断筒の軸方向の一端が製品外部に露出するように射出成形したものであるが、この注出具の製造に際しては、成形金型の内面の一部に遮断筒の軸方向の一方の端面を突き当て、その状態で遮断筒の外側を覆う基材樹脂の射出を行う。この場合、遮断筒が製品内の適正位置に位置決めされるようになるものの、遮断筒の軸方向の一方の端面が基材樹脂の端部から完全に露出する、つまり、基材樹脂の端部に遮断筒の断面形状とほぼ合致する開口が形成されるため、製造後に遮断筒と基材樹脂が剥離して形状が維持できなくなる可能性が懸念される。
即ち、遮断筒をガスバリア性の高い樹脂で形成する場合、その樹脂は通常、基材樹脂であるポリエチレン等と接着する性質が無いため、単純な構造では二つの樹脂間で剥離が生じ、所望の形状を維持できなくなる可能性がある。
【００１２】
そこでこの発明は、バリア性を有する遮断筒を、基材樹脂との剥離を引き起こすことなく当該基材樹脂内に正確に位置決めして配置できるようにして、製造の容易化と品質向上を図ることのできる袋体用注出具、注出具付袋体、袋体用注出具の成形金型、及び、袋体用注出具の製造方法を提供しようとするものである。
【課題を解決するための手段】
【００１３】
この発明に係る袋体用注出具は、袋体の内部と外部とを導通させる注出孔を有し、当該注出孔を取り囲む周壁の基材樹脂内に、バリア性を有する遮断筒が埋設された袋体用注出具において、前記周壁が、前記遮断筒と、該遮断筒を埋設する前記基材樹脂から成る周壁本体部と、を有し、前記周壁本体部の軸方向の一端面には、当該周壁本体部に埋設された前記遮断筒の軸方向の一端面に向かって窪む複数の窪み部が周方向に沿って間欠的に設けられていることを特徴とするものである。
この袋体用注出具の場合、周壁本体部の軸方向の一端面の隣接する窪み部の間には、遮断筒の軸方向の一端面を径方向に跨ぐように基材樹脂の帯が配置され、遮断筒と周壁本体部の基材樹脂との剥離が規制される。また、製造時には、成形金型の一部を窪み部に対応する部分で遮断筒の軸方向の一端面に当接させ、その状態で成形金型内に基材樹脂を充填することにより、遮断筒を基材樹脂内に軸方向で正確に位置決めして配置することが可能となる。
【００１４】
この発明に係る袋体用注出具は、前記窪み部が、前記周壁本体部の軸方向の一端面と、その一端面に隣接する内周縁部に跨って段差状に形成され、前記窪み部の前記周壁本体部の内周縁部に位置される領域が、前記周壁本体部の内周面から前記遮断筒の内周面に向かって窪むようにしても良い。
この場合、製造時には、成形金型の一部を窪み部に対応する部分で遮断筒の軸方向の一端側の内周面に間欠的に当接させ、その状態で成形金型内に基材樹脂を充填することにより、遮断筒を基材樹脂内に径方向で正確に位置決めして配置することが可能となる。
【００１５】
また、この発明に係る袋体用注出具は、前記周壁本体部の軸方向の他端側の外周面に、当該周壁本体部に埋設された前記遮断筒の軸方向の他端面が臨む第１の凹部が設けられるようにしても良い。
この場合、製造時に、成形金型の一部を第１の凹部に対応する部分で遮断筒の軸方向の他端面に当接させることにより、遮断筒の軸方向の他端の軸方向の位置ずれを規制することが可能となる。
【００１６】
また、この発明に係る袋体用注出具は、前記周壁本体部の軸方向の他端側の外周面に、当該周壁本体部に埋設された前記遮断筒の軸方向の他端側の外周面が臨む第２の凹部が設けられるようにしても良い。
この場合、製造時に、成形金型の一部を第２の凹部に対応する部分で遮断筒の軸方向の他端側の外周面に当接させることにより、遮断筒の軸方向の他端の径方向の位置ずれを規制することが可能となる。
【００１７】
この発明に係る注出具付袋体は、前記いずれかに記載の袋体用注出具が袋体に取り付けられていることを特徴とするものである。
【００１８】
この発明に係る袋体用注出具の成形金型は、袋体の内部と外部とを導通させる注出孔を有し、当該注出孔を取り囲む周壁の基材樹脂内に、バリア性を有する遮断筒が埋設された袋体用注出具の成形金型において、前記周壁の少なくとも内周面の一部と軸方向の一端を造形する第１の成形型と、前記周壁の少なくとも外周面の一部と軸方向の他端を造形する第２の成形型と、を備え、前記第１の成形型には、前記遮断筒を保持する筒保持部が設けられ、前記筒保持部には、前記遮断筒の軸方向の一端面方向に向かって突出し、前記遮断筒の軸方向の一端面に円周方向で離間した複数ヶ所で当接する複数の位置決め台が設けられていることを特徴とするものである。
この成形金型によって袋体用注出具を製造する場合には、最初に第１の成形型の筒保持部に遮断筒を保持させ、このとき、筒保持部の複数の位置決め台を、遮断筒の軸方向の一端面に円周方向で離間した複数ヶ所で当接させる。次に、この状態で第１の成形型と第２の成形型を突き合わせて成形空間を形成し、その成形空間に溶融した基材樹脂を射出充填する。こうして、基材樹脂が固化した後に第１の成形型と第２の成形型を型開きすると、軸方向の一端面に位置決め台の痕跡である複数の窪み部が円環状に配置された袋体用注出具が造形される。こうして、造形された袋体用注出具は、遮断筒が基材樹脂内に軸方向で正確に位置決めされるとともに、軸方向の一端面に周方向に沿って複数の窪み部が間欠的に設けられる。それにより、隣接する窪み部の間には、遮断筒の端面を径方向に跨ぐように基材樹脂の帯が配置され、遮断筒と基材樹脂との剥離が規制されることになる。
【００１９】
この発明に係る袋体用注出具の成形金型は、さらに、前記位置決め台に、前記遮断筒の軸方向の一端側の内周面に当接する嵌合爪が設けられ、前記複数の位置決め台の嵌合爪に跨って前記遮断筒の内周面が嵌合されるようにしても良い。
この場合、第１の成形型の筒保持部に遮断筒が保持されるときに、遮断筒の軸方向の一端側の内周面が複数の位置決め台の嵌合爪に跨って嵌合され、その結果、遮断筒が第１の成形型に対して径方向にも正確に位置決めされる。また、遮断筒が複数の位置決め台の嵌合爪に跨って嵌合されるため、成形空間内に基材樹脂が射出充填される際に、遮断筒が、溶融した基材樹脂の高圧の流れや熱によって軸方向に位置ずれするのを防止される。
【００２０】
また、この発明に係る袋体用注出具の成形金型は、前記第２の成形型に、前記遮断筒の軸方向の他端面に当接する第１の規制突起が設けられるようにしても良い。
この場合、遮断筒の軸方向の他端方向のずれが第１の規制突起によって位置規制される。
【００２１】
また、この発明に係る袋体用注出具の成形金型は、前記第２の成形型に、前記遮断筒の軸方向の他端側の外周面に当接する第２の規制突起が設けられるようにしても良い。
この場合、遮断筒の軸方向の他端の径方向のずれが第２の規制突起によって位置規制される。
【００２２】
この発明に係る袋体用注出具の製造方法は、前記いずれかの袋体用注出具の成形金型を用い、前記成形金型内に基材樹脂を射出充填することを特徴とするものである。
【発明の効果】
【００２３】
したがって、この発明によれば、遮断筒と基材樹脂との剥離を引き起こすことなく、遮断筒を基材樹脂内に正確に位置決めして配置できるようになり、製造の容易化と品質向上を図ることが可能となる。
【図面の簡単な説明】
【００２４】
【図１】この発明の一実施形態の注出具の側面図である。
【図２】この発明の一実施形態の注出具の斜視図である。
【図３】この発明の一実施形態の注出具の図２のＢ−Ｂ断面に対応する断面図である。
【図４】この発明の一実施形態の注出具の図２のＣ−Ｃ断面に対応する断面図である。
【図５】この発明の一実施形態の注出具の図１のＡ−Ａ断面に対応する断面図である。
【図６】この発明の一実施形態の成形金型の軸方向に沿う断面図である。
【図７】この発明の一実施形態の成形金型のコア型（第１の成形型）の斜視図である。
【図８】この発明の一実施形態の成形金型の図６のＤ部に対応する拡大断面図である。
【図９】この発明の一実施形態の成形金型の一部と遮断筒を示す斜視図である。
【図１０】この発明の一実施形態の成形金型の軸方向に沿う断面図である。
【図１１】この発明の他の実施形態の注出具の図４に対応する断面図である。
【発明を実施するための形態】
【００２５】
以下、この発明の一実施形態を図面に基づいて説明する。
図１〜図５は、この実施形態の袋体用注出具１（以下「注出具１」と呼ぶ。）を示す図である。この実施形態の注出具１は、密閉された袋体２に内部が導通するように取り付けられ、注出具付袋体１００（図１参照）を構成するようになっている。
注出具１は、袋体２に挿し込まれて外側面に袋体２の内面がヒートシールにより溶着固定される接着部３と、接着部３と連続して形成されて袋体２から外部に突出する口部４と、を備えている。口部４は略円筒状に形成され、接着部３は口部４の外径よりも一回り大きい略楕円断面形状に形成されている。接着部３の断面は、正確には、長径側の両端部が扁平に潰された略楕円形状に形成されている。これにより、注出具１の接着部３が袋体２に挿し込まれた状態で、袋体２の対向するフィルム面が接着部３の外側面に隙間無く溶着固定されるようになっている。
【００２６】
また、口部４と接着部３の軸心位置には、断面円形状の連続した注出孔５が形成されている。この注出孔５は、注出具１が袋体２に取り付けられた状態において、接着部３側の端部が袋体２の内側に開口し、口部４側の端部が袋体２の外側に開口するようになっている。この実施形態では、口部４と接着部３が注出孔５を取り囲む周壁を構成している。以下では、口部４と接着部３を併せて適宜周壁１０と呼ぶものとする。
【００２７】
口部４には、注出孔５の開口を封止するための樹脂製のキャップ６が着脱可能に螺合されるようになっている。口部４の外周面には、キャップ６が螺合されるねじ山７が形成されている。また、口部４の接着部３に近接する側の外周面には、径方向外側に張り出す係止フランジ８が一体に形成されている。この係止フランジ８は注出具付袋体１００を搬送するときに把持し易いように設けられている。
【００２８】
注出具１は、全体の主要部分がポリエチレンやポリプロピレン等の樹脂（以下、「基材樹脂」と呼ぶ。）によって形成され、注出孔５の周域部分に、酸素バリア性に優れた素材から成る円筒状の遮断筒１１が埋設されている。この実施形態の遮断筒１１は、エチレン−ビニルアルコール共重合体樹脂（ＥＶＯＨ）を基本に、成形性を高める目的でポリオレフィン系の樹脂をさらに重合させたものを用いている。以下では、基材樹脂の一例としてポリエチレンを用いるものとして説明する。
なお、この実施形態においては、酸素バリア性に優れた素材から成る遮断筒１１を用いているが、遮断筒１１には、酸素以外のガスに対するバリア性に優れた素材を用いたり、紫外線等の光線に対するバリア性に優れた素材を用いることも可能である。遮断筒１１に、紫外線等の光線に対するバリア性に優れた素材を用いる場合には、例えば、顔料を樹脂に添加することにより、光線に対するバリア性を付与することができる。樹脂に添加する顔料としては、カーボンブラック、酸化チタン等の無機系の顔料を用いることができる。
また、遮断筒１１を光線に対するバリア層とガスバリア層とを組み合わせて多層化することで、光線とガスの双方に対するバリア性を付与することも可能である。
また、注出具１の周壁１０のうちの、基材樹脂によって形成されている部分（遮断筒１１以外の部分）を周壁本体部１０ａと呼ぶものとする。
【００２９】
注出具１の基材樹脂内に埋設される遮断筒１１は、周壁本体部１０ａのうちの、口部４の端部の近傍から接着部３の一部に跨る範囲に配置されている。遮断筒１１は、注出具１を透過して注出具１の内側に浸入しようとする酸素を遮断するものであるが、接着部３は酸素がほぼ透過しない袋体２の内側に配置されるため、上記の範囲に配置することによって注出具１の内側への酸素の浸入をほぼ遮断することができる。
また、図４に示すように、樹脂製のキャップ６の内面には、注出具１の口部４に螺着したときに注出孔５内の軸方向の一端側の内周面に密接する円筒状のシール壁１２が設けられている。
【００３０】
ここで、図２，図４に示すように、周壁本体部１０ａの口部４側の軸方向の端面（軸方向の一端面）と、その端面に隣接する内周縁部には、複数の段差状の窪み部１３が円周方向に沿って間欠的に設けられている。窪み部１３は、周壁本体部１０ａの口部４側の軸方向の端面から遮断筒１１の軸方向の一端面に向かって窪み、かつ、窪み部１３の周壁本体部１０ａの内周縁部に位置される領域が、周壁本体部１０ａの内周面から遮断筒１１の内周面に向かって窪んでいる。複数の段差状の窪み部１３は、後述するコア型２１の形状によって造形されるものである。周壁本体部１０ａの口部４側の軸方向の端部は、複数の窪み部１３が円周方向に沿って間欠的に設けられることにより、各隣接する窪み部１３間の帯状片１４が、遮断筒１１の軸方向の一端面を径方向に跨いで、周壁本体部１０ａの外周領域と内周領域とを接続するようになっている。
周壁本体部１０ａの複数の窪み部１３は、注出具１の口部４に樹脂製のキャップ６が螺着されたときに、図４に示すように、キャップ６の底面とシール壁１２とによって封止される。
【００３１】
また、図２，図４，図５に示すように、周壁本体部１０ａの接着部３の外周面（軸方向の他端側の外周面）の一部には、遮断筒１１の軸方向の他端面に臨む位置まで窪む第１の凹部１５と、第１の凹部１５よりも浅い第２の凹部１６が連続して形成されている。第２の凹部１６は、第１の凹部１５の口部４側に隣接して配置され、ほぼ遮断筒１１の外周面に臨む位置まで窪んでいる。
この第１の凹部１５と第２の凹部１６は、周壁本体部１０ａの接着部３上に形成されているため、接着部３の外面に袋体２のフィルム面が溶着固定されたときに、そのフィルム面によって封止される。
【００３２】
図６〜図１０は、注出具１を製造する射出成形用の成形金型２０を示す図である。
成形金型２０は、注出具１の周壁１０（周壁本体部１０ａ）の内周面と軸方向の一端（口部４側の端部）を造形するコア型２１（第１の成形型）と、注出具１の周壁１０の外周面と軸方向の他端（接着部３側の端部）を造形するキャビティ型２２（第２の成形型）と、を備えている。
【００３３】
コア型２１は、注出具１の周壁本体部１０ａの一端面を造形するベース壁２３と、ベース壁２３のほぼ中央に設けられて遮断筒１１を保持する筒保持部２４と、筒保持部２４に連設されて周壁本体部１０ａの内周面（注出孔５）を造形する成形軸２５と、を備えている。
成形軸２５は、ベース壁２３のほぼ中央部から前方に突出しており、筒保持部２４は、成形軸２５の基部側の外周に配置されている。
【００３４】
筒保持部２４は、図７に示すように、成形軸２５の基部側の外周を取り囲むほぼ同形状の４つの位置決め台２６を備えている。各位置決め台２６は、略扇形のブロック形状に形成され、その内周縁部に、軸方向に突出する断面円弧状の嵌合爪２７が延設されている。
各位置決め台２６は、ベース壁２３からは、筒保持部２４に保持される遮断筒１１の軸方向の一端面方向に向かって突出しており、突出したその外縁側の前面が、遮断筒１１の軸方向の一端面に当接する当接面２６ａとされている。また、円周方向で隣接する各位置決め台２６の間には、所定の離間スペースＳが確保されている。このため、４つの位置決め台２６の当接面２６ａは、遮断筒１１の軸方向の一端面に対し、円周方向に離間した複数ヶ所で当接する。
なお、この実施形態の場合、位置決め台２６の外径（成形軸２５の軸心を中心とする外径）は、遮断筒１１の外径と同じに設定されている。
【００３５】
また、位置決め台２６の嵌合爪２７の外面は、遮断筒１１の内周面に当接する円弧面とされている。遮断筒１１は、軸方向の一端寄りの内周面が複数の嵌合爪２７に跨って嵌合されることにより、径方向を位置決めされた状態において、コア型２１の筒保持部２４に固定される。また、このとき遮断筒１１の軸方向の一端面が各位置決め台２６の当接面２６ａに当接することにより、遮断筒１１は、軸方向の一端側を位置決めされる。
なお、各嵌合爪２７の先端側の外周コーナ部分には、図８に示すように、円弧状の曲面Ｒが設けられ、各嵌合爪２７の外周側に遮断筒１１を容易に嵌合できるようになっている。
【００３６】
一方、キャビティ型２２は、基材樹脂を供給するための図示しない射出シリンダに接続されるとともに、成形後に製品を取り出せるように分離可能な複数の分割ブロックによって構成されている。また、キャビティ型２２の成形空間Ｍに臨む部位のうちの、注出具１の周壁本体部１０ａの第１の凹部１５と第２の凹部１６に対応する位置には、遮断筒１１の軸方向の他端面に当接する第１の規制突起２８と、遮断筒１１の軸方向の他端側の外周面に当接する第２の規制突起２９とが突設されている。この実施形態の場合、第１の規制突起２８と第２の規制突起２９は、図９に示すように一体に形成されている。
また、第１の規制突起２８と第２の規制突起２９を保持するキャビティ型２２の分割ブロックは、型開き時に製品（注出具１）の径方向外側方向に移動し得るようになっている。
【００３７】
つづいて、以上の成形金型２０を用いた注出具１の製造について説明する。
最初に、予め用意した遮断筒１１を、図７に示すように、コア型２１の筒保持部２４にセットする。具体的には、遮断筒１１を成形軸２５の周域を通過させて、遮断筒１１の内周面を複数の位置決め台２６の嵌合爪２７の外面に嵌合し、最終的に、遮断筒１１の軸方向の一端側の端面を複数の位置決め台２６の当接面２６ａに当接させる。これにより、遮断筒１１は、軸方向と径方向に位置決めされた状態でコア型２１に固定される。
なお、遮断筒１１は、上述した酸素バリア性の樹脂を原料として押し出し成形機によって長尺筒を造形し、その長尺筒を所定寸法に切断して形成される。
【００３８】
次に、図６に示すように、コア型２１とキャビティ型２２とを型締めし、コア型２１とキャビティ型２２の間に成形空間Ｍを形成する。このとき、キャビティ型２２内に突設された第１の規制突起２８と第２の規制突起２９とは、図６，図９に示すように、遮断筒１１の軸方向の他端側の端面と外周面とに当接し、若しくは、これらに近接して配置される。
【００３９】
この後、図示しない射出シリンダから成形空間Ｍ内に溶融した基材樹脂を射出充填する。この基材樹脂の射出充填はキャビティ型２２の底部側から行われる。溶融した基材樹脂がキャビティ型２２の底部側から射出充填されると、その基材樹脂は、遮断筒１１の外周側と内周側を回り込んで成形空間Ｍ内に行き渡る。このとき、遮断筒１１の内周側に回り込んだ基材樹脂は、成形軸２５と遮断筒１１の間の隙間を通ってコア型２１の筒保持部２４方向に流入し、筒保持部２４に達した基材樹脂は、筒保持部２４の隣接する位置決め台２６間の離間スペースＳを通過して遮断筒１１の外周側に流れ込む。このとき、隣接する位置決め台２６間の離間スペースＳに流れ込んだ溶融樹脂は、図２に示す注出具１の軸方向の一端の４つの帯状片１４を造形する。
【００４０】
このように成形空間Ｍ内に高温の溶融樹脂が高圧で導入されると、成形金型２０内の遮断筒１１には、軸方向や径方向に押し動かそうとする種々の荷重が作用するが、遮断筒１１は、軸方向の一端側が複数の位置決め台２６の当接面２６ａと嵌合爪２７によって位置決めされているため、成形空間Ｍ内を大きく変動することがない。また、遮断筒１１の軸方向の他端側が溶融樹脂によって振れ動かされようとすると、その振れは第１の規制突起２８と第２の規制突起２９とによって規制される。
【００４１】
この後、成形空間Ｍ内の基材樹脂の固化を待ってコア型２１とキャビティ型２２を型開きし、成形品を成形金型２０から取り出す。この後に成形品にバリ取り等の後処理を行い、注出具１の製造を完了する。
【００４２】
こうして製造された注出具１は、図２に示すように口部４の端部に位置決め台２６の痕跡である複数の窪み部１３が造形されるとともに、接着部３の外面に第１の規制突起２８と第２の規制突起２９の痕跡である第１の凹部１５と第２の凹部１６が造形される。窪み部１３や第１，第２の凹部１５，１６では遮断筒１１の一部が部分的に外部に露出することがあるが、実際の使用時には、前述のように窪み部１３は樹脂製のキャップ６によって封止され、第１，第２の凹部１５，１６は袋体２のフィルム面によって封止される。
【００４３】
遮断筒１１を形成する酸素バリア性の高い樹脂は、水酸基を分子構造の中に有していることから、水分に長時間接触すると脆化やバリア性の低下が起こり易い。しかし、上述のように窪み部１３や第１，第２の凹部１５，１６が確実に封止されることから、使用時におけるこのような問題は生じない。
【００４４】
また、上記の成形金型２０によって造形された注出具１は、位置決め台２６の当接面２６ａと嵌合爪２７によって遮断筒１１が周壁本体部１０ａの基材樹脂内に正確に位置決めされることになるうえ、軸方向の一端側の複数の窪み部１３の間に、基材樹脂による帯状片１４が遮断筒１１の端面を径方向に跨ぐように設けられるため、遮断筒１１と基材樹脂との剥離を確実に規制し、注出具１の形状を安定的に維持することができる。
即ち、遮断筒１１を形成する酸素バリア性を有する樹脂は、基材樹脂であるポリエチレン等との接着性が無いため、遮断筒１１の断面と同サイズ若しくはそれよりも大きいサイズの開口が周壁１０の端部に開口していると、その開口部分で遮断筒１１と基材樹脂との剥離が生じることがあるが、上記のように製造された注出具１は、開口（窪み部１３）の口開きが帯状片１４によって確実に規制される。
したがって、上記の成形金型２０を用いることにより、遮断筒１１と基材樹脂との剥離を引き起こすことなく、遮断筒１１を基材樹脂内に正確に位置決めして配置することができる。この結果、注出具１の製造の容易化と品質向上を図ることが可能となる。
【００４５】
ところで、遮断筒１１を、できる限り短く、厚くすることによって射出成形時における遮断筒１１の振れによる変形を防止できることが知られている。しかし、遮断筒１１を短くするのには、バリア機能の必要性から限界があり、また、遮断筒１１の厚みを厚くするのにも、寸法の安定性や強度の維持等の観点から限界がある。即ち、厚みについては、遮断筒１１の厚みを厚くし過ぎると、遮断筒１１の製造時に遮断筒１１の中心部に熱がこもり、冷却時に不均等な収縮が生じて寸法が不安定になり易く、また、遮断筒１１の厚みを厚くすると、その厚みを厚くした分だけ基材樹脂の厚みが薄くなり、その結果、強度が低下してしまう。
これに対し、上記の成形金型２０は、遮断筒１１を短くしたり、厚くすることなく射出成形時における遮断筒１１の振れによる変形を確実に防止することができる。
【００４６】
ここで、キャビティ型２２側の第１の規制突起２８や第２の規制突起２９は必ずしも設けなくても良いが、この実施形態のように第１の規制突起２８や第２の規制突起２９を設けるようにした場合には、射出成形時における遮断筒１１の軸方向の他端側の振れをより確実に規制することができる。
【００４７】
なお、この発明は上記の実施形態に限定されるものではなく、その要旨を逸脱しない範囲で種々の設計変更が可能である。
例えば、上記の実施形態の注出具１においては、周壁本体部１０ａの口部４側の端面に複数の窪み部１３が円周方向に沿って間欠的に設けられ、周壁本体部１０ａの接着部３側の外周面に第１の凹部１５と第２の凹部１６が設けられているが、遮断筒１１が内容物と接触しても劣化等を生じる心配のない場合には、図１１に示す実施形態のように、周壁本体部１０ａの接着部３側の端面に複数の窪み部１３を円周方向に沿って間欠的に設け、周壁本体部１０ａの口部４側の外周面に第１の凹部１５と第２の凹部１６を設けるようにしても良い。なお、図１１においては、図１〜図５に示した実施形態と同一部分に同一符号を付している。
【符号の説明】
【００４８】
１  注出具
２  袋体
５  注出孔
１０  周壁
１０ａ  周壁本体部
１１  遮断筒
１３  窪み部
１５  第１の凹部
１６  第２の凹部
２０  成形金型
２１  コア型（第１の成形型）
２２  キャビティ型（第２の成形型）
２４  筒保持部
２６  位置決め台
２７  嵌合爪
２８  第１の規制突起
２９  第２の規制突起
１００  注出具付袋体
【図１】
2014231376.tif 000003
【図２】
2014231376.tif 000004
【図３】
2014231376.tif 000005
【図４】
2014231376.tif 000006
【図５】
2014231376.tif 000007
【図６】
2014231376.tif 000008
【図７】
2014231376.tif 000009
【図８】
2014231376.tif 000010
【図９】
2014231376.tif 000011
【図１０】
2014231376.tif 000012
【図１１】
2014231376.tif 000013